(57)【特許請求の範囲】
【請求項１】
吸気口及び排気口が形成されている本体と、
前記本体の内部に配置され、被加熱物を収容する鍋と、
前記本体の内部に配置され前記鍋を加熱する加熱コイルと、
前記本体の内部における前記加熱コイルの下側に配置され、前記加熱コイルに高周波電流を供給するインバータ基板と、
前記本体の内部に設けられ、前記加熱コイル及び前記インバータ基板に冷却風を供給する送風手段と、を備え、
前記インバータ基板は、
電子部品を有する側の基板面が下向きに配置され、
前記送風手段は、
冷却風を吹出す送風口を備え、
前記送風口を形成する面は、
前記インバータ基板の面に対して垂直に配置されるようになっており、
前記送風手段から供給される冷却風を前記加熱コイル側と前記インバータ基板側とに分流する分流部材を、前記送風手段の前方側に設け、
前記分流部材によって前記インバータ基板側に分流された冷却風を該インバータ基板に誘導する第２導風部材を、前記送風手段の前方側かつ前記分流部材の下側に設けた
誘導加熱調理器。
【請求項２】
前記加熱コイルより下方に設けられ、上方向に伸びる第１導風部材を備える
請求項１に記載の誘導加熱調理器。
【請求項３】
前記排気口は、
前記本体の前記送風手段よりも上方に形成されている
請求項１または２に記載の誘導加熱調理器。
【請求項４】
前記本体の上部を構成する外蓋と、
前記外蓋を回転自在に結合するヒンジ部と、
前記ヒンジ部を覆うヒンジカバーと、を備え、
前記排気口は、
前記ヒンジカバーの下部に形成されている
請求項１〜３のいずれか一項に記載の誘導加熱調理器。
【請求項５】
前記インバータ基板は、
不燃性材料からなる基板カバーで覆われ、冷却風が前記分流部材と前記第２導風部材で形成される空間を通過して前記基板カバーの内部に流入される
請求項１〜４のいずれか一項に記載の誘導加熱調理器。
【請求項６】
前記分流部材は、
不燃性材料で、前記加熱コイルと前記インバータ基板との間に配置される防磁部材と一体に構成されている
請求項１〜５のいずれか一項に記載の誘導加熱調理器。
【請求項７】
前記第１導風部材は、
不燃性材料で、前記加熱コイルと前記インバータ基板との間に配置される防磁部材と一体に構成されている
請求項２、請求項２に従属する請求項３〜６のいずれか一項に記載の誘導加熱調理器。
【発明の詳細な説明】
【技術分野】
【０００１】
本発明は、被加熱物を誘導加熱する加熱コイル、及び、加熱コイルに高周波電流を供給するインバータ基板を備えた誘導加熱調理器に関し、加熱コイル及びインバータ基板の冷却構造を備えた誘導加熱調理器に関するものである。
【背景技術】
【０００２】
従来、被加熱物を誘導加熱する加熱コイル、及び、加熱コイルに高周波電流を供給するインバータ基板を備えた誘導加熱調理器が種々提案されている。そのような誘導加熱調理器の中には、例えば特許文献１に記載されているような、電子部品を備えるインバータ基板を本体底部に水平に配置し、電子部品の表面に取り付けられた放射状の放熱板と、放熱板の下方に水平に配置され放熱板に向けて冷却風を送風する送風手段とを備える構成がある。この構成により、送風手段からの風が放熱板で形成される流路により全周へ送風され、インバータ基板の電子部品と加熱コイルを同時に冷却できる。
【先行技術文献】
【特許文献】
【０００３】
【特許文献１】特許第３７６０２９４号公報
【発明の概要】
【発明が解決しようとする課題】
【０００４】
しかしながら、特許文献１に記載されているような従来の誘導加熱調理器では、加熱コイルに直接冷却風を送風できないため、送風手段から離れた位置に配置された加熱コイルまで風が届かず十分に冷却することができないという問題があった。
また、放熱板を通過して高温になった風が加熱コイルに送風されるため、加熱コイルの冷却効率が低いという問題があった。
【０００５】
本発明は、上記のような課題を解決するためになされたもので、加熱コイル及びインバータ基板を効率的に冷却できる冷却構造を備えた誘導加熱調理器を提供することを目的とする。
【課題を解決するための手段】
【０００６】
本発明に係る誘導加熱調理器は、吸気口及び排気口が形成されている本体と、前記本体の内部に配置され、被加熱物を収容する鍋と、前記本体の内部に配置され前記鍋を加熱する加熱コイルと、前記本体の内部における前記加熱コイルの下側に配置され、前記加熱コイルに高周波電流を供給するインバータ基板と、前記本体の内部に設けられ、前記加熱コイル及び前記インバータ基板に冷却風を供給する送風手段と、を備え、前記インバータ基板は、電子部品を有する側の基板面が下向きに配置され、前記送風手段は、冷却風を吹出す送風口を備え、前記送風口を形成する面は、前記インバータ基板の面に対して垂直に配置されるようになっており、前記送風手段から供給される冷却風を前記加熱コイル側と前記インバータ基板側とに分流する分流部材を、前記送風手段の前方側に設け、前記分流部材によって前記インバータ基板側に分流された冷却風を該インバータ基板に誘導する第２導風部材を、前記送風手段の前方側かつ前記分流部材の下側に設けたものである。
【発明の効果】
【０００７】
本発明に係る誘導加熱調理器によれば、インバータ基板の基板面を下向きにすることで放熱板の下方が開放状態となるため、放熱板からの放熱が促進され電子部品を効率的に冷却することができる。また、送風手段の送風口を形成する面とインバータ基板面を垂直に配置することで放熱板と加熱コイルを独立して冷却することができ、送風手段からの風が直接加熱コイルに送風され、加熱コイルを効率的に冷却することができる。
【図面の簡単な説明】
【０００８】
【図１】本発明の実施の形態１に係る誘導加熱調理器の外観構成の一例を示す概略斜視図である。
【図２】本発明の実施の形態１に係る誘導加熱調理器を正面視した際の内部構造を示す縦断面図である。
【図３】本発明の実施の形態１に係る誘導加熱調理器を側面視した際の内部構造を示す縦断面図である。
【図４】本発明の実施の形態１に係る誘導加熱調理器の冷却風路を構成する部分の概略を示す概略斜視図である。
【図５】本発明の実施の形態１に係る誘導加熱調理器の内部における冷却風の流れを示す模式図である。
【図６】本発明の実施の形態１に係る誘導加熱調理器の排気口部分を説明する概略縦断面図である。
【図７】本発明の実施の形態２に係る誘導加熱調理器を側面視した際の内部構造を示す縦断面図である。
【図８】本発明の実施の形態２に係る誘導加熱調理器の冷却風路を構成する部分の概略を示す概略斜視図である。
【図９】本発明の実施の形態３に係る誘導加熱調理器を側面視した際の内部構造を示す縦断面図である。
【図１０】本発明の実施の形態３に係る誘導加熱調理器の冷却風路を構成する部分の概略を示す概略分解斜視図である。
【図１１】本発明の実施の形態１に係る誘導加熱調理器に搭載される送風手段の一例を示す概略外観図である。
【発明を実施するための形態】
【０００９】
以下、本発明に係る誘導加熱調理器について、図面を用いて説明する。
なお、以下で説明する構成や制御内容等は、一例であり、本発明に係る誘導加熱調理器は、そのような構成や制御内容等に限定されない。
また、細かい構造については、適宜図示を簡略化又は省略している。
また、重複又は類似する説明については、適宜簡略化又は省略している。
【００１０】
実施の形態１．
図１は、本発明の実施の形態１に係る誘導加熱調理器（以下、調理器１００と称する）の外観構成の一例を示す概略斜視図である。図２は、調理器１００を正面視した際の内部構造を示す縦断面図である。図３は、調理器１００を側面視した際の内部構造を示す縦断面図である。図１〜図３に基づいて、調理器１００について説明する。なお、調理器１００として圧力調理器を例に以下説明する。圧力調理器の平均投入電力は１ｋＷ以上であり炊飯器に比べて大きい。そのため、加熱コイル３２とインバータ基板４０の冷却効率を高める必要がある。
【００１１】
図１に基づいて、調理器１００の外観構成について説明する。
調理器１００は、本体カバー１０と、外蓋２０と、を備えている。
本体カバー１０及び外蓋２０で、調理器１００の本体１を構成する。
本体カバー１０は、有底筒形状に構成されて本体１の下部を構成するものであり、内部収容物を覆う機能を有している。
外蓋２０は、本体カバー１０に開閉自在に取り付けられて本体１の上部を構成するものであり、本体カバー１０の開口部を覆う機能を有している。つまり、外蓋２０は、ヒンジ部２３を介して本体カバー１０に回転自在に連結されている。
【００１２】
図２及び図３に基づいて、調理器１００の内部構造について説明する。
本体カバー１０は、本体１の下部外周面を構成するものであり、本体カバー１０の内部には、鍋収納部３０と、鍋３１と、加熱コイル３２と、防磁部材３４と、インバータ基板４０と、送風手段５０と、導風部材６０と、分流部材６１と、が備えられている。
また、本体カバー１０には、吸気口１２及び排気口１３が開口形成されている。
さらに、本体カバー１０には、使用者からの調理指示あるいは調理内容の変更などを受け付ける表示・操作部５５が設けられている。なお、表示・操作部５５を外蓋２０に設けるようにしてもよい。
【００１３】
また、本体カバー１０の底中央部には孔部が貫通形成されており、ここに温度センサユニット７４が設置されている。温度センサユニット７４は、鍋３１の底部に当接して鍋３１の温度を検知するものである。温度センサユニット７４は、図示しないが、例えば温度を検知するためのサーミスタ、サーミスタを収容するアルミケース、サーミスタを収容したアルミケースを内鍋に押し当てるためのバネ、サーミスタからの温度信号を制御部に送信するケーブル等で構成される。
【００１４】
外蓋２０の内側（鍋３１の開口部を覆う側）には、内蓋７０が着脱自在に取り付けられている。内蓋７０の周縁には蓋パッキン７２が着脱自在に取り付けられている。蓋パッキン７２は、内蓋７０と鍋３１のフランジ部との間をシールして密着性を得るシール材としての機能を有する。そのため、内蓋７０及び蓋パッキン７２により、外蓋２０が閉められた状態において鍋３１の開口部が密閉されるようになっている。さらに、外蓋２０の内側には、回転自在なロックリング７１が配置されている。ロックリング７１は回転動作により鍋３１のフランジ部と嵌合され、内蓋７０と蓋パッキン７２と鍋３１を固定する。
【００１５】
鍋収納部３０は、本体カバー１０の略中央部に、本体カバー１０と空間を有して凹形状に形成されている。この鍋収納部３０に、鍋３１が着脱自在に収納されるようになっている。鍋収納部３０は、凹形状に形成されているので、底部３０ａ及び湾曲部３０ｂを有している。
【００１６】
鍋３１は、上部が開口した有底筒形状に構成されており、鍋収納部３０に着脱自在に設けられる。この鍋３１は、被加熱物であり、熱伝導率が高いアルミ等からなる母材で構成するとよい。
【００１７】
加熱コイル３２は、鍋収納部３０に収納された鍋３１の底部及び外周の一部を誘導加熱するものである。具体的には、加熱コイル３２は、鍋収納部３０の表面であって鍋３１の収納面とは反対側の面上の底部３０ａ及び湾曲部３０ｂに設けられ、鍋３１を誘導加熱する。
【００１８】
防磁部材３４は、インバータ基板４０の上部に設置されており、加熱コイル３２から発生する磁場を遮るためのものである。具体的には、防磁部材３４は、加熱コイル３２とインバータ基板４０の間に設けられた非磁性体からなる板部材で構成されており、加熱コイル３２の駆動時に加熱コイル３２からインバータ基板４０へ向けて発生する磁場を遮蔽するものである。防磁部材３４は、不燃性材料で構成されている。
【００１９】
インバータ基板４０は、加熱コイル３２に高周波電流を供給して、加熱コイル３２を駆動するものである。インバータ基板４０は、例えば図示省略の電源プラグから供給される電力の周波数を調整して高周波電流として加熱コイル３２に供給するようになっている。具体的には、インバータ基板４０は、加熱コイル３２に電流を供給するためのスイッチング手段を構成するインバータ回路を有し、インバータ回路駆動時に発熱する電子部品４１と、電子部品４１から発生された熱を放熱するための放熱板４２と、を備えている。発熱する電子部品４１とは、インバータ回路を構成する整流回路のダイオードやスイッチング素子である。インバータ基板４０は、電子部品４１を有する基板面４５が下向きになるように防磁部材３４の下方に水平配置される。つまり、基板面４５と防磁部材３４とは略平行になるように配置される。
【００２０】
送風手段５０は、ファンであり、送風手段５０表面には送風口を備え、風を発生させて加熱コイル３２及びインバータ基板４０を冷却する。図１１は、調理器１００に搭載される送風手段５０の一例を示す概略外観図である。
送風手段５０としては、例えば図１１（ａ）に示すような、モーター８０の回転軸方向に送風口８２が形成され動翼８１が回転することで風が送風されるプロペラファンがある。送風口８２は両矢印で示す辺からなる面に形成される。プロペラファンは、本体カバー１０の内部であって送風口の前方に放熱板４２が配置されるような位置に、垂直に立てるとよい。つまり、送風口を形成する面とインバータ基板４０の基板面が垂直に配置されるとよい。
【００２１】
また、送風手段５０としては、例えば図１１（ｂ）に示すような、モーター８３の回転軸に略垂直な方向に送風口８５が形成され動翼８４が回転することで風が送風されるシロッコファンがある。シロッコファンは送風口８５に対して略垂直な面に吸気口を備えるため、吸気口を本体１底面に対向するように配置してインバータ基板４０や加熱コイル３２を冷却することができ、本体１の高さを抑制できる。
なお、プロペラファンにおける送風口を形成する面は回転軸に対して平行であり、シロッコファンにおける送風口を形成する面は回転軸に対して垂直である。
【００２２】
導風部材６０は、例えば送風手段５０の前方に設けられ、送風手段５０により発生する冷却風の向きを変えて、この冷却風を加熱コイル３２及びインバータ基板４０へ誘導するためのものである。具体的には、導風部材６０は、分流部材６１の下側であって送風手段５０の下端部とインバータ基板４０の下端部との間に設けられ、送風手段５０により発生する冷却風を加熱コイル３２及びインバータ基板４０の方へ誘導している。また、導風部材６０は、不燃性材料で構成されている。
この導風部材６０が、本発明の「第２導風部材」に相当する。
【００２３】
分流部材６１は、例えば送風手段５０の下流側に設けられ、送風手段５０により発生する冷却風を加熱コイル３２側とインバータ基板４０側とに分流するためのものである。
具体的には、分流部材６１は、導風部材６０の上側に設けられ、送風手段５０により発生する冷却風を分流して加熱コイル３２及びインバータ基板４０のそれぞれの方へ誘導している。後段で詳述するが、分流部材６１は、加熱コイル側斜面６１ａと、基板側斜面６１ｂと、から構成されている。また、分流部材６１は、不燃性材料で構成されている。
【００２４】
吸気口１２は、本体カバー１０の送風手段５０の吸気面に対向する面又はＲ状になっている下面部に開口して形成されたものであり、本体１の外部から本体１の内部に空気を吸引するためのものである。図３では、吸気口１２が本体カバー１０の右側面下側に形成されている場合を例に示している。
【００２５】
排気口１３は、本体カバー１０の加熱コイル３２よりも上方又はヒンジ部２３を覆うヒンジカバー２４の下方に本体カバー１０を開口して形成されたものであり、送風手段５０から発生した冷却風を本体１の外部に排出するためのものである。排気口１３は、送風手段５０により発生される風が加熱コイル３２の下方の空間を通過した後に本体１の外部に排出できる位置に設ければよい。
冷却風の流れについては、図５及び図６にて説明する。
【００２６】
なお、図示はしていないが、調理器１００は、全体を統括制御する制御部を有している。制御部は、例えば外蓋２０に設けられており、表示・操作部５５により指示された制御内容でインバータ基板４０を駆動制御するものである。制御部は、例えば、マイクロコンピュータ、読み書き可能メモリ（ＲＡＭ）、読み出し専用メモリ（ＲＯＭ）、及びタイマー（計時手段）等を備えており、入力信号と記憶されたプログラムとに従って演算を行い、インバータ基板４０を制御して、加熱コイル３２の出力を調整する。
【００２７】
また、送風手段５０は送風口を形成する面とインバータ基板４０の基板面が垂直に配置される構成について説明したが、ここでいう「垂直」とは、９０度のみの角度を意味するのではなく、多少の傾きを許容する。例えば、インバータ基板４０と加熱コイル３２へ送風できる範囲内であれば、垂直に対して±１０°程度傾いた状態で配置されることも可能である。
【００２８】
＜基板周辺の冷却風路の構成＞
図４は、調理器１００の冷却風路を構成する部分の概略を示す概略斜視図である。図４に基づいて、調理器１００の冷却風路の構造について説明する。
【００２９】
分流部材６１は、上述したように、加熱コイル側斜面６１ａと、基板側斜面６１ｂと、から構成されている。
加熱コイル側斜面６１ａは、送風手段５０と加熱コイル３２又はインバータ基板４０の間に配置され、送風手段５０の送風口から防磁部材３４の縁まで加熱コイル３２に向かう方向に傾く斜面である。つまり、加熱コイル側斜面６１ａは、冷却風の上流側から下流側にかけて上方向に向かって傾斜する斜面となっている。
基板側斜面６１ｂは、送風手段５０の送風口から電子部品４１に向かう方向に傾く斜面である。つまり、基板側斜面６１ｂは、冷却風の上流側から下流側にかけて下方向に向かって傾斜する斜面となっている。
【００３０】
また、導風部材６０は、分流部材６１の下側に設けられ、送風手段５０の送風口の下方から放熱板４２に向かう方向に傾く斜面を形成する。つまり、導風部材６０は、冷却風の上流側から下流側にかけて上方向に向かって傾斜する斜面を有している。
【００３１】
分流部材６１及び導風部材６０の冷却風の方向に対して垂直な方向の幅は、送風手段５０の同方向の幅と同じか又はそれ以上で形成される。
なお、分流部材６１及び導風部材６０は、防磁部材３４と一体となるように構成してもよい。
また、分流部材６１は、加熱コイル側斜面６１ａ又は基板側斜面６１ｂのどちらか一方を備える構成としてもよい。
【００３２】
次に、調理器１００の動作について説明する。
使用者により表示・操作部を有する制御部へ調理指示等の加熱開始の指示がなされると、制御部はインバータ基板４０の駆動、制御を開始する。インバータ基板４０は、制御部より信号を受けて動作を開始し、加熱コイル３２に高周波電流を供給する。加熱コイル３２に高周波電流が流れると、加熱コイル３２からは交番磁界が発生し、これにより被加熱物である鍋３１に磁束が与えられる。これにより、鍋３１には渦電流が発生し、この渦電流と鍋３１の電気抵抗によりジュール熱が発生し、鍋３１は加熱される。
【００３３】
このように加熱コイル３２に高周波電流が供給されると、加熱コイル３２から磁束が発生し、この磁束により鍋３１を加熱することになる。加熱コイル３２から発生する磁束が全て鍋３１への誘導加熱に利用されるものではなく、発生した磁束の一部は鍋３１の加熱に寄与せず、いわゆる漏洩磁束となり、周囲に放射される。その際、防磁部材３４には交番磁界により発生した磁束の変化を打ち消す方向に起電力が発生し、渦電流が流れる。この渦電流により発生する磁束が加熱コイル３２から発生する漏洩磁束を打ち消すことになる。
【００３４】
＜冷却風の流れ＞
図５は、調理器１００の内部における冷却風の流れを示す模式図である。図６は、調理器１００の排気口１３部分を説明する概略縦断面図である。図５及び図６に基づいて、調理器１００における冷却風の流れについて説明する。なお、図５及び図６においては、冷却風の流れを矢印で模式的に表している。
【００３５】
送風手段５０は、その回転駆動によって吸気口１２から外部の空気を吸引し、加熱コイル３２の下方を通過する向きに冷却風を生成する。生成された冷却風は、分流部材６１により加熱コイル３２側とインバータ基板４０側に分流される。加熱コイル３２側に分流された冷却風は、加熱コイル３２と防磁部材３４との間の空間を、加熱コイル３２を冷却しながら通過し、排気口１３から排気される。一方、インバータ基板４０側に分流された冷却風は、導風部材６０により放熱板４２の表面に向けて流れ込み、放熱板４２の表面を冷却した後、排気口１３から排気される。
【００３６】
図６に示すように、排気口１３をヒンジカバー２４の下部に設ける場合、冷却風は、ヒンジ部２３と本体カバー１０又はヒンジカバー２４との間の空間を通過してから排気口１３から排気されることになる。
【００３７】
＜調理器１００の奏する効果＞
以上の構成のように、調理器１００では、インバータ基板４０は、電子部品４１を有する基板面４５が下向きになるように防磁部材３４の下方に水平配置され、放熱板４２の下方が開放状態となる。これによって、放熱板４２からの放熱が促進されるため電子部品４１を効率的に冷却することができる。また、基板面４５を下向きにすることで放熱板４２の先端部は加熱コイル３２から離れた位置に配置され、加熱コイル３２による周囲温度上昇の影響が小さい。よって、基板面４５が下向きの場合は、基板面４５が上向きの場合に比べて放熱板４２の先端部周囲温度が低くなるため、放熱板４２からの放熱が促進されて、電子部品４１を効率よく冷却することができる。
さらに、本体カバー１０内に液体物や異物が混入した場合には、基板面４５上の電子部品４１への液体物や異物の付着によるインバータ回路の故障を防止することができる。また、基板面４５の裏側の面を防磁部材３４に容易に取り付けることが可能になる。
【００３８】
送風手段５０の送風口を形成する面とインバータ基板４０の基板面を略垂直に配置することによって、加熱コイル３２及びインバータ基板４０をそれぞれ冷却できる。そのため、部品を冷却することで暖められた冷却風を再利用する必要がなく、送風手段５０から送風される室温の冷却風が直接部品に送風され、発熱した部品を効率的に冷却できる。加熱コイル３２側に分流された冷却風は、送風手段５０の送風口手前付近（上流側とする）に配置された加熱コイル３２に集中的に送風されるため、上流側の加熱コイル３２の温度が大幅に低下する。冷却風が直接到達しにくい下流側加熱コイル３２は、熱伝導により、低温の上流側加熱コイル３２側へ熱が移動するため、加熱コイル３２全体の温度を低下させることができる。
【００３９】
また、加熱コイル３２側に分流された冷却風は、加熱コイル３２と防磁部材３４との間の空間を、加熱コイル３２を冷却しながら通過する。よって、加熱コイル３２下面の空気は換気され、基板面の裏側の発熱を抑制することができる。
さらに、１つの送風手段５０で加熱コイル３２及びインバータ基板４０の双方を冷却できるので、加熱コイル３２及びインバータ基板４０にそれぞれ専用の冷却ファンを用いる必要がなく、調理器１００の本体１を小型化することができる。
【００４０】
インバータ基板４０を本体１の底面下方に配置し、送風手段５０の送風口を形成する面とインバータ基板４０の基板面を略垂直に配置することによって、本体カバー１０を側面が湾曲した円筒形に形成することが可能であり、径方向の幅の増加を抑制することができる。よって、本体１の意匠性の自由度を高めることができる。
【００４１】
圧力調理では、調理時に鍋内圧力が上昇することで蓋が開放となることを防ぐため、ロックリング７１により鍋３１と内蓋７０と外蓋２０を固定する。それにより、調理時の密閉性を高めることができ、さらに外蓋２０が外れることを防ぐことができる。しかし、常圧で加熱する炊飯器等の調理器に比べ、外蓋２０内部の部品数が増え、高さが増加する。そこで、本体カバー１０の高さを抑制することで本体１を小型化する必要がある。送風手段５０の送風口を形成する面とインバータ基板４０の基板面を略垂直に配置することで、送風手段５０を本体１底面に、送風口を形成する面とインバータ基板４０の基板面を平行に配置した場合に比べて、ファンの厚み分高さを抑制することができ、本体１の大きさを抑制することができる。
【００４２】
加熱コイル３２の下方を通過した冷却風は、排気口１３を加熱コイル３２よりも上部に配置することによって加熱コイル３２の下方を通過した冷却風が上方に向かって流れ排気される。これにより、冷却風が流れる風路を長くすることができ、鍋収納部３０の底部３０ａ及び送風手段５０から離れた位置にある湾曲部３０ｂに設けられた加熱コイル３２を冷却することが可能となる。なお、風路とは、本体１の内部に形成される冷却風が流れる空間のことである。
【００４３】
また、図５に示すように、加熱コイル側斜面６１ａにより冷却風の一部は加熱コイル３２へ向かう方向に導風されるため、風向の前方であって鍋収納部３０の底部３０ａ及び湾曲部３０ｂに設けられた加熱コイル３２を冷却することが可能となる。
【００４４】
また、図５に示すように、分流部材６１のうち基板側斜面６１ｂにより冷却風の一部はインバータ基板４０側へ向かう方向に導風され、さらに導風部材６０により放熱板４２の表面に向かう方向に導風されるため、インバータ基板４０の電子部品４１を効率的に冷却することができる。
【００４５】
また、図６に示すように、排気口１３をヒンジカバー２４の下部に設けることにより、加熱コイル３２を冷却できるだけでなく、上方から液体物が本体内部に流入するのを防ぐとともに、意匠面では排気口１３が目立たない構成とすることができる。また、吸気口１２を送風手段５０の吸気面に対向する面又はＲ状になっている下面部に設けることにより吸気口１２が目立たない構成とすることができる。
【００４６】
なお、本体１は円筒形以外の形状にも変更可能である。また、調理器１００は調理物を鍋３１に封入した状態または鍋３１内が空の状態で持ち運び可能であるものとする。
【００４７】
実施の形態２．
図７は、本発明の実施の形態２に係る誘導加熱調理器（以下、調理器２００と称する）を側面視した際の内部構造を示す縦断面図である。図８は、調理器２００の冷却風路を構成する部分の概略を示す概略斜視図である。図７及び図８に基づいて、調理器２００について説明する。なお、調理器２００として圧力調理器を例に以下説明する。
なお、実施の形態２では実施の形態１との相違点を中心に説明し、実施の形態１と同一部分には、同一符号を付して説明を省略するものとする。
【００４８】
実施の形態１では、排気口１３を加熱コイル３２よりも上部に配置しているが、実施の形態２では、排気口１３の位置を限定するものではなく、図７に示すように吸気口１２と排気口１３の位置を入れ替えた構成とすることもできる。また、加熱コイル３２より下方の空間の少なくとも一部に加熱コイル３２の下方を通過した冷却風の向きを変える斜面状の導風部材６２を備えるようにした。
この導風部材６２が、本発明の「第１導風部材」に相当する。
【００４９】
導風部材６２は、加熱コイル３２の下方を通過した冷却風の風向を上方に向ける向きに、防磁部材３４の少なくとも一部に設ける。
また、排気口１３は、本体カバー１０又はヒンジカバー２４に形成すればよい。
なお、図８に示すように、導風部材６２を防磁部材３４上に形成する場合、防磁部材３４の少なくとも一部に導風部材６２を設けるとしているが、防磁部材３４の縁又は面上に設けて防磁部材３４を囲む構成としてもよい。
ただし、送風手段５０の送風口の前方は、加熱コイル３２側への冷却風の風路となるため、導風部材６２を設けないようにする。また、導風部材６２は、防磁部材３４と一体となるように構成してもよい。
【００５０】
＜調理器２００の奏する効果＞
調理器２００は、調理器１００の奏する効果に加えて以下のような効果を奏する。
以上の構成のように、調理器２００では、防磁部材３４上に導風部材６２を設けることによって、送風手段５０から加熱コイル３２側へ分流された冷却風の風向が、より上方に導風される。これにより、風向の前方であって鍋収納部３０の底部３０ａ及び湾曲部３０ｂに設けられた加熱コイル３２を冷却する効果を得ることができる。
【００５１】
なお、導風部材６２は、本体カバー１０の内側から延出するような形状で配置してもよい。これにより、送風手段５０からインバータ基板４０側へ分流され防磁部材３４の下方を通過した冷却風の風向を上方に導風することができる。
【００５２】
実施の形態３．
図９は、本発明の実施の形態３に係る誘導加熱調理器（以下、調理器３００と称する）を側面視した際の内部構造を示す縦断面図である。図１０は、調理器２００の冷却風路を構成する部分の概略を示す概略分解斜視図である。図９及び図１０に基づいて、調理器３００について説明する。なお、調理器３００として圧力調理器を例に以下説明する。
なお、実施の形態３では実施の形態１、２との相違点を中心に説明し、実施の形態１、２と同一部分には、同一符号を付して説明を省略するものとする。
【００５３】
実施の形態１又は実施の形態２の構成の加え、実施の形態３においては、基板カバー４４と、放熱板カバー４３と、部品落下抑制部材４６と、を備えている。なお、図９では、実施の形態２に係る調理器２００を基本的な構成としている調理器３００を例に示しているが、調理器３００は、実施の形態１に係る調理器１００を基本的な構成として備えるようにしてもよい。
【００５４】
基板カバー４４は、インバータ基板４０の基板面４５の裏側の面と側面を覆うものである。例えば、基板カバー４４は、一方が開放された箱状に構成するとよい。このような構成とすれば、基板カバー４４は、開放された面ではない方の面（図９では上面）が基板面４５の裏側面と防磁部材３４の裏側面との間に配置されて基板面４５の裏側の面を覆い、側面がインバータ基板４０の側面全体を覆うようにできる。また、基板カバー４４の側面の一部には冷却風の流入口となる開口部４７が形成されている。開口部４７は、送風手段５０からの冷却風が流れ込む方向の側面下方に形成するとよい。具体的には、基板カバー４４の送風手段５０に対向する面の下方には送風手段５０からの冷却風をインバータ基板４０内に送風するための開口部４７を形成する。
【００５５】
放熱板カバー４３は、送風手段５０からの冷却風が流れ込む方向に開口部（図示省略）を設け、放熱板４２の周りを覆うものである。放熱板カバー４３は、一方が開放された箱状に構成するとよい。このような構成とすれば、放熱板カバー４３は、開放された面ではない方の面（図９では底面）が部品落下抑制部材４６と放熱板４２との間に配置されて放熱板４２を覆い、側面が放熱板４２の側面全体を覆うようにできる。また、放熱板カバー４３の側面の一部にも、図示していないが冷却風の流入口となる開口部が形成されている。この開口部も、開口部４７と同様に、送風手段５０からの冷却風が流れ込む方向の側面に形成するとよい。
【００５６】
部品落下抑制部材４６は、板状の部材で構成されており、インバータ基板４０の下方に設けられ、インバータ基板４０の実装部品が落下することを抑制するものである。具体的には、図９に示すように、放熱板カバー４３の下方に部品落下抑制部材４６を設けるようにするとよい。これにより、インバータ基板４０の実装部品の落下を抑制できるだけでなく、仮に実装部品が落下してしまっても部品落下抑制部材４６によって落下した実装部品を受けることができ、実装部品の紛失を防ぐことができる。
【００５７】
基板カバー４４、放熱板カバー４３、及び、部品落下抑制部材４６は、不燃性材料で構成されている。また、放熱板カバー４３は絶縁体とする。
なお、加熱コイル側斜面６１ａは開口部４７上部に向けて配置し、基板カバー４４と一体となるように形成してもよい。
【００５８】
＜調理器３００の奏する効果＞
調理器３００は、調理器１００又は調理器２００の奏する効果に加えて以下のような効果を奏する。
以上の構成のように、調理器３００では、インバータ基板４０を不燃性材料で覆うことで、インバータ基板４０の基板面４５を保護することができる。また、部品落下抑制部材４６を設けることにより、基板面４５から電子部品４１が落下した場合に、部品の紛失を防ぐことができる。また、放熱板カバー４３は絶縁体からなるため、放熱板４２と周囲の金属部品との電気的な接触を防ぐことができる。さらに、冷却風を放熱板４２表面に誘導し電子部品４１を効率よく冷却することが可能になる。
【００５９】
以上、本発明に係る誘導加熱調理器を３つの実施の形態に分けて説明したが、いずれの実施の形態においても、排気口１３の位置と導風部材によって冷却風の流れを変更し、効率的に電子部品４１や加熱コイル３２を冷却することができるものである。
なお、本発明は、実施の形態で説明した内容に限定せず、本発明の範疇及び精神を逸脱することなく、さまざまに変形又は変更可能である。また、各実施の形態で説明した内容を適宜組み合わせて誘導加熱調理器を構成してもよい。さらに、３つの実施の形態では、誘導加熱調理器の一例として圧力調理器を挙げて説明したが、これに限定するものではなく、加熱コイル及びインバータ基板を備えた誘導加熱で調理を実行する機器、例えば煮込み調理器、炊飯器等の誘導加熱調理器、ＩＨクッキングヒータ、湯沸かしポットなどにも適用することが可能である。
【符号の説明】
【００６０】
１  本体、１０  本体カバー、１２  吸気口、１３  排気口、２０  外蓋、２３  ヒンジ部、２４  ヒンジカバー、３０  鍋収納部、３０ａ  底部、３０ｂ  湾曲部、３１  鍋、３２  加熱コイル、３４  防磁部材、４０  インバータ基板、４１  電子部品、４２  放熱板、４３  放熱板カバー、４４  基板カバー、４５  基板面、４６  部品落下抑制部材、４７  開口部、５０  送風手段、５５  操作部、６０  第１導風部材、６１  分流手段、６１ａ  加熱コイル側斜面、６１ｂ  基板側斜面、６２  第２導風部材、７０  内蓋、７１  ロックリング、７２  蓋パッキン、７４  温度センサユニット、８０  モーター、８１  動翼、８２  送風口、８３  モーター、８４  動翼、８５  送風口、１００  誘導加熱調理器、２００  誘導加熱調理器、３００  誘導加熱調理器。
【図１】
0006320446.tif 000002
【図２】
0006320446.tif 000003
【図３】
0006320446.tif 000004
【図４】
0006320446.tif 000005
【図５】
0006320446.tif 000006
【図６】
0006320446.tif 000007
【図７】
0006320446.tif 000008
【図８】
0006320446.tif 000009
【図９】
0006320446.tif 000010
【図１０】
0006320446.tif 000011
【図１１】
0006320446.tif 000012